Podtech/llm-jp-corpus-v4-ja_patent huggingface dataset:
(57)【要約】      （修正有）【課題】キセル自体にはタバコの葉や灰が入らないようにし、キセルの詰まりをなくし、紙巻きタバコの吸い殻に残っているタバコ葉とフィルターを最後まで喫煙、利用することができる喫煙キセル補助具を提供する。【解決手段】喫煙キセル補助具Ａは、金属等の不燃物で作った筒状のものの中に、数ミリの孔３を開けた仕切り板２を設けて形成する。キセルＢのタバコ葉装填部５に上記の喫煙キセル補助具Ａを装着し、キセルＢ自体にはタバコの灰が入らないようにする。また、キセルＢと本品Ａとの間に紙巻きタバコのフィルター４を挿入して使用できるようにする。【選択図】図２
0003173478.tif 000002
【実用新案登録請求の範囲】
【請求項１】
一端がキセル（Ｂ）に着脱可能で、多端がタバコ葉を収納する火皿部（１）を備え、中間に孔（３）を有する仕切り板（２）で構成された筒状の喫煙キセル補助具。
【考案の詳細な説明】
【技術分野】
【０００１】  本考案は、喫煙用キセルに装着して使用する、喫煙具に関するものである。
【背景技術】
【０００２】  従来の一般的な喫煙用キセルは、タバコの吸い殻や灰によってよく詰まってしまうものであり、フィルターの使用も難しいものである。
【先行技術文献】
【特許文献】
【０００３】
【特許文献１】  特開２００４−２０８６７８
【特許文献２】  特開２０１１−１２０５６２
【考案の概要】
【考案が解決しようとする課題】
【０００４】  一般的に紙巻きタバコの約三割は吸い殻として捨てられている。本考案のキセル補助具を使用することによって、捨てられていたタバコの葉とフィルターを最後まで喫煙、利用することができる。残るのは完全な灰とフィルターだけである。
これによって、喫煙者が常に紙巻きタバコの吸い殻をタバコの箱に入れて持ち帰れば、ポイ捨てなどで街を汚す弊害をなくすことができる。
吸い殻を集めることができれば、喫煙にお金がかからなくなる。
紙巻きタバコを開いてこのキセル補助具を使って喫煙すれば、紙を燃やすことなく紙の燃焼による健康被害をなくすことができる。
詰まりを解消するためよくキセルを壊してしまうことがあるが、このキセル補助具の使用によってキセルの詰まりがなくなる。
本考案のキセル補助具を使用することによって、喫煙キセル、パイプの構造は簡単なものでよくなる。
本考案のキセル補助具の使用によって、吸い切るまで灰や火玉の落下を防ぐことができる。
【課題を解決するための手段】
【０００５】  一端がキセル（Ｂ）に着脱可能で、多端がタバコ葉を収納する火皿部（１）を備え、中間に孔（３）を有する仕切り板（２）で構成された筒状の喫煙キセル補助具。
【考案の効果】
【０００６】  上述のように本考案のキセル補助具は、キセル自体にはタバコの葉や灰が入らないようにするものであり、キセルの詰まりをなくすだけではなく、紙巻きタバコの吸い殻に残っているタバコ葉とフィルターを最後まで喫煙、利用することができる。
本考案キセル補助具を使うことによって、紙を燃やさず吸うことができ、タバコ２，３本分で約１本分の吸い殻を捨てずに、最後まで吸うことができるものである。
吸い殻を集めることができれば、タバコを吸うのにお金がかからなくなる。
構造が非常に単純で、少ない費用で製作できる。
【図面の簡単な説明】
【０００７】
【図１】本考案の喫煙キセル補助具の、外観図である。
【図２】本喫煙キセル補助具の、使用状況図である
【考案を実施するための形態】
【０００８】  本考案は、円筒状の金属等の不燃物で作り、内部に小孔のあいた仕切り板を設けたものである。
【実施例】
【０００９】  図２のようにキセル補助具（Ａ）とキセル（Ｂ）の間に紙巻きたばこのフィルター（４）を挿入して、キセル火皿部（５）に装着する。そして円筒火皿部（１）にタバコのキザミ葉を装填して喫煙する。
仕切り板（２）は金属製で、数ミリメートルの孔（３）があいている。
フィルター（４）なしでも、同様にして吸うことができる。
【符号の説明】
【００１０】１  円筒火皿部
２  仕切り板
３  孔
４  フィルター
５  火皿
Ａ  喫煙キセル補助具
Ｂ  キセル
【図１】
0003173478.tif 000003
【図２】
0003173478.tif 000004
(57)【要約】      （修正有）【課題】編み始めの目を鉤針から棒針に渡すことが初心者でも簡単に行え、鉤針から棒針に移し替えた目を利用して所望の編み物を速やかに編み進めることができる鉤針を提供する。【解決手段】一方の端部に鉤部３を形成した鉤針１の他方の端部に、棒針５の尖った先端を差し込むことができる先細り状の凹み穴４を鉤針の軸心に沿って形成したことが特徴であり、さらに詳しくは、鉤針で編み物のサイズに見合った編み始めの数の目（段数）を用意し、鉤針の他端の凹み穴に棒針の一方の先端を差し込んで、鉤針の後ろ端と棒針の先端を一直線に連結した状態で鉤針上の編み目を棒針上にもつれることなく円滑に移し替えできるようにしたものである。【選択図】図２
0003173480.tif 000002
【実用新案登録請求の範囲】
【請求項１】
一方の端部に鉤部を形成した鉤針の他方の端部に、棒針の尖った先端を差し込むことができる先細り状の凹み穴を鉤針の軸心に沿って形成したことを特徴とする編み物用鉤針。
【請求項２】
先細り状の凹み穴の中ほどの深さに環状の溝を形成し、ここにＯリングの厚みの半分ほどを埋め込んだ請求項１記載の編み物用鉤針。
【考案の詳細な説明】
【技術分野】
【０００１】  この考案は、編み物用鉤針に関するもので、例えば毛糸の編み物を作るに当たって必要な目（段数）を鉤針で編み出し、それを鉤針から棒針に簡単に移行させることができるようにした鉤針についてのものである。
【背景技術】
【０００２】  毛糸やレース糸による編み物では、最初に編み物のサイズに見合った編み始めの数の目（段数）を用意するのが普通である。通常編み目を拾い易い鉤針で編み始めの目を用意し、その後も鉤針で編み続けるか、あるいは編み始めの目を鉤針から棒針に移し渡して２本又は４本の棒針で編み続けることが行われている。この鉤針から棒針に編み始めの目を渡すには、棒針の尖った先端で鉤針上の編み目をすくって棒針上に移し替えることが必要であった。しかしこの編み目の移し替えには熟練や要領を要して、目を飛ばすことなく移し替えることは、初心者では簡単ではなかった。
【先行技術文献】
【特許文献】
【０００３】
【特許文献１】  特開２００８−４５２５７号公報      また、特許文献１で開示されているように、使用する２本の編み針（棒針）のうち一方の先端に鉤部を形成して編み始めの鎖編み目から編み糸を引き出しやすくした編み針も知られているが、編み始めの鎖編み目を鉤針から棒針に速やかに移行させるようなものではなかった。
【考案の概要】
【考案が解決しようとする課題】
【０００４】  この考案は、上記の編み始めの目を鉤針から棒針に渡すことが初心者でも簡単に行え、鉤針から棒針に移し替えた目を利用して所望の編み物を速やかに編み進めることができる鉤針を提供するものである。
【課題を解決するための手段】
【０００５】  この考案の鉤針は、一方の端部に鉤部を形成した鉤針の他方の端部に、棒針の尖った先端を差し込むことができる先細り状の凹み穴を鉤針の軸心に沿って形成したことが特徴である。さらに詳しく述べれば、鉤針で編み物のサイズに見合った編み始めの数の目（段数）を用意し、鉤針の他端の凹み穴に棒針の一方の先端を差し込んで、鉤針の後ろ端と棒針の先端を一直線に連結した状態で鉤針上の編み目を棒針上に移し替えできるようにしたものである。【０００６】  鉤針から棒針に編み目の移し替えを終えた後は、鉤針の凹み穴から棒針の先端を抜いて編み目が移った棒針を利用し、これにさらに他の棒針を併用して２本針あるいは４本針とすれば棒針による手編みを続行することができる。
【考案の効果】
【０００７】  このような本考案では、編み物の初心者であっても、鉤針上に作った編み始めの目を簡単に、しかも目の飛ばしや欠落を招くことなく棒針上に移し替えでき、棒針による手編みを円滑に続行することができる。
【図面の簡単な説明】
【０００８】
【図１】この考案の鉤針を示す斜視図
【図２】鉤針の後ろ端部に開けた先細り状の凹み穴に棒針の尖った先端を差し込んで一直線状に連結した斜視図
【図３】鉤針上の編み目を棒針上に移行させる説明図
【考案を実施するための形態】
【０００９】  図１に示す鉤針１は、軸部２の左端に鉤部３を形成したものである。この鉤針の軸部２は先端から中央部分にかけて次第に太さが太くなるように形成されていて、その右側端部には棒針の尖った先端を挿入して一直線状態に固定できる先細り状の凹み穴４が設けられている。
【００１０】  図２は鉤針１の凹み穴４に棒針５の尖った先端を差し込んで一直線状に一体化したものである。なおこの鉤針１と棒針５の一体化の前に、鉤針によって編み始めに必要な目、段数の鎖編み目を鉤針上に用意し、その後に両針１，５を一体化すると鉤針の編みこみ操作を阻害しなくて好ましい。
【００１１】  図３は一体化した鉤針から棒針へ編み始めに必要な目、段数の鎖編み目を移行させる際の図であり、鎖編み目６は鉤針の後ろ端から凹み穴に入り込んだ棒針へ移行してゆく。この時、鉤針の後ろ端に設けた凹み穴は、棒針の号数に応じた穴径に形成して残余の穴周囲の肉厚は０・５ｍｍ程度に薄くして一直線状に連なった鉤針と棒針との間に段差が殆ど無い状態が好ましい。
【００１２】  また鉤針を形成する素材としては、アルミニウムやプラスチック材料が好ましく、中でもポリカーボネート樹脂は強度も高く、磨耗しにくい鉤部を先端に形成でき、しかも後端に先細り状の凹み穴４を形成してここに棒針の尖った先端を差し込んだ場合、凹み穴４のわずかに拡張しようとする力で棒針先端を掴みこむので、簡単に棒針が凹み穴から抜け出ることはない。加えて、先細り状の凹み穴４の中ほどの深さに環状の溝を形成し、ここにＯリングの厚みの半分ほどを埋め込めば、差し込まれる棒針先端の傾斜部がＯリングを拡張するようにリング内に入り込んで、Ｏリングの原型に戻ろうとする復元力で鉤針と棒針を一直線状態に確実に固定できる。
【００１３】  鉤針および棒針の太さは各々の号数、例えば鉤針は２号から１０号、棒針は０号から１５号によって規定されていて、用いる毛糸の太さにより鎖編み部分の編み径も変化するので、毛糸の太さに見合った号数の針を用いることが綺麗に編み上げる上で重要である。
【産業上の利用可能性】
【００１４】  このようにこの考案の鉤針を用いれば、編物の編み始めの編み目である鎖編み目を鉤針で必要段数形成し、この鉤針と一直線状に繋いだ棒針に速やかに移行させることができるので、棒針による手編み作業を円滑に行うことができる。
【符号の説明】
【００１５】１  鉤針
２  軸部
３  鉤部
４  先細り状の凹み穴
５  棒針
６  鎖編み目
【図１】
0003173480.tif 000003
【図２】
0003173480.tif 000004
【図３】
0003173480.tif 000005
(57)【要約】【課題】  家庭でお茶を入れるとき、急須へお湯を目測で入れていた。従って、適量の湯を急須へ入れて、急須の内側が目視可能で、開口からお茶の色が確認でき、お茶の濃度を最適に調整できる急須を提供する。【解決手段】  急須本体と一体の注口の口部分を急須の内側が目視可能な広い開口にし、かつ、前記口部分内の深さ方向に少なくとも、１つ以上の目盛を付したことにより、適量の湯を急須へ入れことが可能になった。また、急須の内側が目視可能となり、開口からお茶の色が確認でき、お茶の濃度を最適に調整できるようになった。また、広い開口につき、茶こしの着脱も容易で、洗い易く、蓋をした状態で、急須にお湯を注ぐこともできるようになった。【選択図】図１
0003173474.tif 000002
【実用新案登録請求の範囲】
【請求項１】
急須本体と一体の注口の口部分を急須の内側が目視可能な広い開口にし、かつ、前記口部分内の深さ方向に少なくとも、１つ以上の目盛を付したことを特徴とする急須。
【考案の詳細な説明】
【技術分野】
【０００１】本考案は、必要に応じた量のお湯を注ぐことができる急須の構造に関する。
【背景技術】
【０００２】市販の急須は、全面に茶こし及び蓋が急須のヤエンを覆っている。
【先行技術文献】
【特許文献】
【０００３】
【特許文献１】実開平６−４４４７７号公報
【０００４】家庭でお茶を入れるとき、急須へお湯を目測で入れていた。従って、適量の湯を急須へ入れるために、急須の内面に目盛を数個付けた先願事例がある。
【考案の概要】
【考案が解決しようとする課題】
【０００５】先願事例の急須では、急須内の目盛を確認する都度、急須の蓋を開けていた。
【課題を解決するための手段】
【０００６】本考案の急須は、急須本体と一体の注口の口部分を急須の内側を目視可能な広い開口にし、かつ、前記口部分内の深さ方向に１つ以上の目盛を付したことを特徴とする急須とした。
【考案の効果】
【０００７】本考案の急須は、急須本体と一体の注口の口部分を急須の内側が目視可能な広い開口を有して、前記口部分内の深さ方向に１つ以上の目盛を付したことにより、適量の湯を急須へ入れることが可能になった。また、急須の内側が目視可能となり、開口からお茶の色が確認でき、お茶の濃度を最適に調整できるようになった。また、広い開口につき、茶こしの着脱も容易で、洗い易い。更に、蓋をしたままの状態で、急須にお湯を注ぐこともできるようになった。
【図面の簡単な説明】
【０００８】
【図１】本考案に係る急須の１実施例を示す平面図である。
【図２】図１のａ−ａ矢視縦断面図である。
【考案を実施するための形態】
【０００９】図１から図２を参照して、本考案に係る急須の１実施例を以下説明する。
【実施例】
【００１０】図１に図示する如く、本実施例では、急須本体１と一体の注口２の口部分２ａを急須の内側が目視可能な広い開口２ｃを有して、前記口部分２ａ内の深さ方向に１つ以上の目盛２ｂを付した。このことにより、適量の湯を急須へ入れることが可能になった。また、急須の内側が蓋３をしたままでも目視可能となり、開口２ｃからお茶の色が確認でき、お茶の濃度を最適に調整できるようになった。また、急須の口部分２ａを広い開口２ｃにし、ヤエン５の一部がないので、茶こし４の着脱も容易である。急須本体の１のヤエン５の一部を切りかいていることにより洗い易く、蓋３をしたままの状態で、急須にお湯を注ぐこともできるようになった。
【産業上の利用可能性】
【００１１】本考案は、急須のみならず、コーヒーポットなどにも適用することもできる。
【符号の説明】
【００１２】１・・・急須本体
２・・・急須の注口
２ａ・・・急須の口部分
２ｂ・・口部分の目盛
２ｃ・・口部分の開口
３・・・急須の蓋
４・・・茶こし
５・・・ヤエン
【図１】
0003173474.tif 000003
【図２】
0003173474.tif 000004
(57)【要約】      （修正有）【課題】シーリングライト本体の大きさや形状が異なっても収納する事ができ、付属品の収納も可能で、輸送中の振動や衝撃からシーリングライト本体を保護する輸送箱を提供する。【解決手段】箱本体にシーリングライト本体を設置しても変形が生じないくらいの剛性がある四角い板に引掛けシーリングを設置した台座と、その台座が箱の中で動かない様に固定する付属品収納ポケットを備えた柱、それらと発泡系緩衝材を組合せて収納し、蓋を閉める事でその効果が発揮される輸送箱であり、付属品収納ポケットにシーリングライトの付属品を収納する事でシーリングライト本体と付属品を同時に輸送する事が可能である。【選択図】図１
0003173475.tif 000002
【実用新案登録請求の範囲】
【請求項１】
箱本体にシーリングライト本体の形状や大きさに関係なく固定する事ができる台座と、その台座が箱の中で動かない様に固定する付属品収納ポケットを備えた柱、それらと発泡系緩衝材を組合せて収納し、蓋を閉める事でその効果が発揮される輸送箱であり、付属品収納ポケットにシーリングライトの付属品を収納する事でシーリングライト本体と付属品を同時に輸送する事が可能である。
【考案の詳細な説明】
【技術分野】
【０００１】
本考案は、シーリングライト本体を移設する時に破損させないようにするシーリングライト輸送箱に関するものである。
【背景技術】
【０００２】
従来、シーリングライト本体の移設を行なう場合の輸送方法としては、その形状や大きさが製品ごとに異なるため、毛布や気泡緩衝材で包んで輸送されていた。
【０００３】
これら毛布や気泡緩衝材は、リーリングライト本体の形状や大きさが異なっていても梱包ができるという利点はあるが、輸送中に振動や衝撃を受けやすく、取付け部品や老朽化したシーリングライトのカバーを破損させてしまう事がある。
【０００４】
また、リモコン等の付属品を別梱包とする場合があり、非常に小さな物もあるため紛失してしまう事がある。
【考案の概要】
【考案が解決しようとする課題】
【０００５】
本考案が解決すべき課題は、シーリングライト本体の大きさや形状が異なっても収納する事ができ、付属品の収納も可能で、輸送中の振動や衝撃からシーリングライト本体を保護する輸送箱を提供することにある。
【課題を解決するための手段】
【０００６】
この課題を解決するために、本考案のシーリングライト輸送箱は、箱本体にシーリングライト本体の形状や大きさに関係なく固定する事ができる台座と、その台座が箱の中で動かない様に固定する付属品収納ポケットを備えた柱、それらと発泡系緩衝材を組合せて収納し、蓋を閉める事でその効果が発揮される輸送箱である。
【考案の効果】
【０００７】
以上説明したように、本考案を用いることによって、シーリングライト本体の大きさや形状が異っても収納する事ができ、輸送中の振動や衝撃からシーリングライトを保護する事ができる。
【図面の簡単な説明】
【０００８】
【図１】本考案に係るシーリングライト輸送箱の分解斜視図である。
【図２】本考案に係る発泡系緩衝材の斜視図である。
【図３】本考案に係る箱本体に発泡系緩衝材をセットした状態の斜視図である。
【図４】本考案に係るシーリングライト固定台座の斜視図である。
【図５】本考案に係るシーリングライト固定台座にシーリングライトをセットした状態の斜視図である。
【図６】図５のII-II線断面図である。
【図７】図３と図５を組み合わせた状態の斜視図である。
【図８】本考案に係る台座固定柱（付属品収納ポケット付き）の斜視図である。
【図９】図７と図８を組み合わせた状態の斜視図である。
【図１０】図１のシーリングライト輸送箱の部品を全て組合せ蓋を閉じた状態を示す斜視図である。
【図１１】図１０のIーI線断面図である。
【考案を実施するための形態】
【０００９】
以下、本考案の実施の形態について、図面に示す実施例に基づいて具体的に説明する。図３は箱本体「１」に発泡系緩衝材「３」を設置したもので、輸送中の振動や衝撃を和らげる効果が期待できる。
【００１０】
図４はシーリングライト本体「６」を設置した時に変形が生じないくらい剛性がある四角い板に引掛けシーリング「４ａ」を設置したものである。
【００１１】
図５は図６に示す様に引掛けシーリング「４ａ」とシーリングライト側にある引掛けシーリングへの固定部「６ａ」でジョイントを行なう事でシーリングライト本体「６」とシーリングライト固定台座「４」を一体化させた状態である。図６に示す取付け方法はシーリングライト本体「６」の形状に関係なくシーリングライト固定台座「４」に設置する事ができる。
【００１２】
図７は図３に図５を収納した状態である。
【００１３】
図８は付属品収納ポケット「５ａ」を４隅に備えた台座固定柱「５」で図７と組合わせる事で、図９となる。
【００１４】
図１０は図９に蓋「２」をした状態であり本考案の実施形態である。図１１に示す様に箱本体「１」に発泡系緩衝材「３」、シーリングライト本体「６」を固定したシーリングライト固定台座「４」、台座固定柱（付属品収納ポケット付き）「５」の順で収納し、蓋「２」をする事で、箱本体「１」と蓋「２」の間にある部材は固定され、この構造によりシーリングライト本体「６」には輸送中の振動や衝撃が直接作用する事がなく、老朽化して破損し易くなったカバーも接触する物がなくなり破損を防ぐ事ができる。また、付属品収納ポケット「５ａ」にシーリングライトの付属品を収納する事でシーリングライト本体と同時に付属品も収納が可能である。
【符号の説明】
【００１５】
１ 箱本体  ２ 蓋  ３ 発泡系緩衝材  ４ シーリングライト固定台座  ４ａ 引掛けシーリング  ５ 台座固定柱（付属品収納ポケット付き）  ５ａ 付属品収納ポケット  ６ シーリングライト本体  ６ａ シーリングライト側にある引掛けシーリングへの固定部
【図１】
0003173475.tif 000003
【図２】
0003173475.tif 000004
【図３】
0003173475.tif 000005
【図４】
0003173475.tif 000006
【図５】
0003173475.tif 000007
【図６】
0003173475.tif 000008
【図７】
0003173475.tif 000009
【図８】
0003173475.tif 000010
【図９】
0003173475.tif 000011
【図１０】
0003173475.tif 000012
【図１１】
0003173475.tif 000013
【手続補正書】
【提出日】平成23年12月2日(2011.12.2)
【手続補正１】
【補正対象書類名】実用新案登録請求の範囲
【補正対象項目名】全文
【補正方法】変更
【補正の内容】
【実用新案登録請求の範囲】
【請求項１】
箱本体にシーリングライト本体を設置しても変形が生じないくらい剛性がある四角い板に引掛けシーリングを設置した台座と、その台座が箱本体の中で動かない様に固定する付属品収納ポケットを備えた柱、それらと発泡系緩衝材を組合せて収納し、蓋を閉める事でその効果が発揮される輸送箱であり、付属品収納ポケットにシーライングライトの付属品を収納する事でシーリングライト本体と付属品を同時に輸送できるのを特徴とするシーリングライト用輸送箱。
(57)【要約】      （修正有）【課題】蒸し料理を作るとき鍋蓋の内側をフキンで被覆する際に、フキンの端部が鍋の側面に垂れてコンロの火が燃え移り火災となることを予防する鍋蓋のフキン留めと、そのフキン留めを鍋敷きに利用する、鍋蓋のフキン留め兼鍋敷きを提供する。【解決手段】耐熱性のシリコーン樹脂からなる扁平方形状のシートの中央に十字状の切り込み部２を設け、方形状のシートの４つの角部の内側に穴４を設け、シートの４つの辺の各両端からの中央位置にそれぞれ穴３を設ける。シートは鍋蓋の上面に装着される。フキンで鍋蓋の内側を被覆するとともに、フキンの端を鍋の外縁より鍋の上側へ折り返してシートに設けられた穴にフキンの端部を差込み挟持する。またシートは、シリコーン樹脂の耐熱性質を利用して鍋敷きとして使用する。【選択図】図１
0003173472.tif 000002
【実用新案登録請求の範囲】
【請求項１】
耐熱性のシリコーン樹脂からなる扁平方形状のシートを本体とし、本体の中央に十字状の切り込み部を本体の上面から下面に貫通して設け、本体に形成された４つの角部の内側に本体の上面から下面に貫通する穴をそれぞれ設け、本体に形成された４つの辺の各中央位置に本体を上面から下面に貫通する穴をそれぞれ設けてなり、本体を鍋蓋の上面に載置し、本体の中央に設けた十字状の切込み部に、鍋蓋のつまみがシートの下側から差し込まれて本体は鍋蓋の上面に装着され、フキンで鍋蓋の内側を被覆するとともにフキンの端を鍋の外縁より鍋の上側へ折り返して本体に設けられた穴に差込み挟持することにより鍋蓋のフキンの留めとなし、フキン留めとして使用しないときは本体がシリコーン樹脂の耐熱性材質であることを利用して鍋敷きすることを特徴とする鍋蓋のフキン留め兼鍋敷き。
【考案の詳細な説明】
【技術分野】
【０００１】    本考案は、蒸し料理を作るとき鍋蓋の内側をフキンで被覆する際に利用する鍋蓋のフキン留めと、そのフキン留めを鍋敷きに利用する、鍋蓋のフキン留め兼鍋敷きに関するものである。
【背景技術】
【０００２】    従来より蒸し料理を作る際は、食材を入れた鍋の開口部全体をフキンで覆い、そのフキンの上から鍋蓋を載置していた。それは鍋の中で発生した水蒸気が鍋蓋の内側に水滴となって付着し、水滴が料理に落下することを防ぐためである。水滴が料理に混じると、蒸し料理の味を損ねていた。鍋蓋の内側がフキンで被覆されている場合は、鍋蓋の内側には水滴が付着しないのである。
【考案の開示】
【考案が解決しようとする課題】
【０００３】  鍋蓋の内側にフキンを装着したときに、次のような問題点があった。
イ、  鍋の中の食材が蒸し上がっているかどうかを確認するとき、鍋の蓋を開けるとともに鍋の開口部を覆うフキンをその都度外さなければならないので、面倒だった。
ロ、  鍋の開口部を覆っているフキンの端が開口部の外にはみ出して鍋の側面に垂れるので、フキンの端にコンロの火が燃え移り、火災の危険があった。
本考案は、以上の問題点を解決するためになされたものである。
【課題を解決するための手段】
【０００４】  耐熱性のシリコーン樹脂からなる扁平方形状のシートの中央に十字状の切り込み部を設け、方形状のシートの４つの角部の内側に穴を設け、シートの４つの辺の各両端からの中央位置にそれぞれ穴を設ける。本発明は以上の構成よりなり、シートを鍋蓋の上面に載置して使用する。このときシートの中央に設けた十字状の切込み部に、鍋蓋のつまみがシートの下側から差し込まれて、シートは鍋蓋の上面に装着される。フキンで鍋蓋の内側を被覆するとともに、フキンの端を鍋の外縁より鍋の上側へ折り返してシートに設けられた穴にフキンの端部を差込み挟持する。またシートは、フキン留めとして利用しないときは、シリコーン樹脂の耐熱性質を利用して鍋敷きとして使用する。
【考案の効果】
【０００５】  鍋の開口部を覆うフキンは鍋蓋の内側に装着されているので、鍋蓋の内側に水滴を発生させることがない。鍋蓋を開けるときは同時にフキンも鍋の開口部を開放するので、鍋の中の食材の蒸し具合を確認しやすい。フキンの端部は常に鍋蓋の上面でシートに固定されているため、フキンの端部が鍋の側面に垂れることがなく、コンロの火がフキンに燃え移って火災を起こす危険がない。
【図面の簡単な説明】
【０００６】
【図１】本考案の正面図
【図２】本考案の留め穴の位置を示す正面図
【図３】本考案の留め穴の位置を示す正面図
【図４】本考案の使用状態を示す正面図
【図５】本考案の使用状態を示す正面図
【考案を実施するための形態】
【０００７】  以下、本考案の実施の形態を図１〜図３について説明する。
イ、  本体１は、耐熱性のシリコーン樹脂からなる扁平方形状のシートからなる。
ロ、  本体の中央に、縦長状の切り込み部２ａを設け、その切り込み部２ａを横切るように横長状の切り込み部２ｂを設け、縦長の切り込み部２ａは横長の切り込み部２ｂより長尺であり、切り込み部２は本体１の上面から下面に貫通している。
ハ、  方形状のシートである本体１は四辺が形成されており、各辺の中央の内側の位置に留め穴３を本体１の表面から裏面へ貫通させて設ける。
ニ、  方形状のシートである本体１は４つの角部が形成されており、各角部の内側位置に留め穴４を本体１の表面から裏面へ貫通させて設ける。
本発明は以上の構成よりなり、本体１を鍋蓋５の上面に載置して使用する。このとき本体１の中央に設けた切込み部２に、鍋蓋の蓋つまみ８が本体１の下側から差し込まれて、本体１は鍋蓋５の上面に装着される。蓋つまみ８が球体の場合、あるいは縦長の場合、いずれも切り込み部２に差し込まれて鍋蓋５の上面に装着することができる。
フキン７は鍋蓋５の内側全面を覆うように被覆した後にフキン７の端部分を鍋蓋５の外縁より鍋蓋５の上側へ折り返し、つまり鍋蓋５をフキン７で包むようにしてフキン７の端部分である角部や縁部を本体１の留め穴３または留め穴４に差し込みながら挟持させる。
鍋は大小の種類があり、鍋蓋も鍋にあわせて大小の種類がある。小さい鍋蓋にフキンを装着するときは、フキン７が鍋蓋５を被覆した後にフキン７の端は鍋蓋５の上側で余裕があるために、図４のように本体１の各辺の中央位置に設けられた留め穴３に差込み挟持させる。大きい鍋蓋にフキンを装着するときは、フキン７が鍋蓋５を被覆した後にフキン７の端は鍋蓋５の上側で余裕がないために、図５のように本体１の角部に設けられた留め穴４にフキン７の角部を差込み挟持させる。
本考案を鍋蓋のフキン留めとして使用する場合は、以上の通りである。本考案を鍋敷きとして利用する場合は、本体は耐熱性のシリコーン材質からなるので上に鍋を載置するだけで使用できる。
【符号の説明】
【０００８】  １は本体、２は切り込み部、３は留め穴、４は留め穴、５は小さい鍋蓋、６は大きい鍋蓋、７はフキン、８は蓋つまみ
【図１】
0003173472.tif 000003
【図２】
0003173472.tif 000004
【図３】
0003173472.tif 000005
【図４】
0003173472.tif 000006
【図５】
0003173472.tif 000007
(57)【要約】      （修正有）【課題】大きな地震が起きた時、地震の揺れで液体を入れたタンクがフランジ部近くでの亀裂防止、液体タンクに接続されているパイプの損傷防止をする液体タンク異同吸収装置を提供する。【解決手段】液体タンクの液体を抜くパイプに太鼓腹を作りそのパイプを液体タンクに取り付ける。地震が起きた場所により液体タンクの揺れ方向が違うためにパイプを太鼓腹状にした。地面にタンク台の上に液体タンク、液体が半分入りその液体を取り出しパイプがセットされ、タンクのフランジ部にパイプが取り付けられ、パイプには太鼓腹が作られ、パイプは固定台に固定バンドで固く固定されている。【選択図】図１
0003173431.tif 000002
【実用新案登録請求の範囲】
【請求項１】
一  原子力発電所、化学薬品工場、など地上に出来ている液体タンクの全てに異同吸収装置設置、亀裂が出来ないようにする。
二  石油コンビナート、ＬＮＧ・石油火力発電所のタンクは強度が強い、強度の弱いパイプが損傷するそこで異同吸収装置設置して防止する。
【考案の詳細な説明】
【技術分野】
【０００１】  本考案は、大きな地震が起きた時、地震の揺れで液体を入れたタンクがフランジ部近くでの亀裂防止、液体タンクに接続されているパイプの損傷防止をする液体タンク異同吸収装置。
【背景技術】
【０００２】  従来、液体タンクの地震対策が出来ていない為に、東京電力福島原発で真水タンクの水漏れで原子炉冷却不能、東北電力女川原発、福島原発の二か所でデーゼル発電機の燃料漏れが起きてデーゼル発電機が使えなかった。千葉のコスモ石油工場て高圧ガス（タンクの強度が液体取り出しパイプより強かったのでパイプが引っ張られて損傷）が大火災になっている。
【先行技術文献】
【０００３】
【考案文献】
実用新案の考案
【考案の概要】
【考案が解決しようとする課題】
【０００４】一  大地震の横揺れで液体タンクが損傷しないようにする、地震の揺れで液体タンク（中の液体が半分前後の時）の液体がタンクの中で大きく移動してタンクの上の部分を振って異同させてしまい、液体タンクに取り付けてあるパイプは固く固定されていて少しもいごかない、その為に液体タンクに亀裂が出来き、その亀裂ができないように防止。
二  パイプの強度よりタンクの強度が大きい場合はパイプが損傷するのを防止。
【課題を解決するための手段】
【０００５】一  パイプの途中に太鼓腹を作り、そのパイプを液体タンクに取り付ける。
二  地震が起きた場所により液体タンクの揺れ方向が違うためにパイプを太鼓腹状にした。
【考案の結果】
【０００６】液体タンクに亀裂損傷とパイプの損傷が防止。
【図面の簡単な説明】
【０００７】
【図１】地面にタンク台の上に液体タンク、液体が半分入りその液体を取り出しパイプがセットされ、タンクのフランジ部にパイプが取り付けられ、パイプには太鼓腹が作られ、パイプは固定台に固定バンドで固く固定されている。
【図２】液体タンク異同吸収装置が無いとき、液体タンクに亀裂が出来る場所、液体輸送パイプに亀裂が出来る場所のどちらかに亀裂が出来る。
【考案を実施するための形態】
【０００８】  以下、本考案の実施の形態を説明
すべての液体タンクの液体を取り出すパイプに液体タンク異同吸収装置を取り付けてタンクの亀裂損傷を無くし事故が起きないようにする。
【符号の説明】
【０００９】  液体タンク、フランジ部、液体輸送パイプ、液体タンク異同吸収装置、液受け、パイプ固定台、パイプ固定バンド、亀裂が発生場所。
【図１】
0003173431.tif 000003
【図２】
0003173431.tif 000004
【手続補正書】
【提出日】平成23年11月16日(2011.11.16)
【手続補正１】
【補正対象書類名】実用新案登録請求の範囲
【補正対象項目名】全文
【補正方法】変更
【補正の内容】
【実用新案登録請求の範囲】
【請求項１】
液体タンクの全て、大きな地震が起きた時、液体タンク内の液体が地震によって大きく揺れその為に液体を入れているタンクは地震が収まった後も揺れ、液体タンクに取り付けられているパイプのもう片方は頑丈に固定されているため、液体タンクに取り付けられているパイプの途中に太鼓腹を作り、液体タンクの揺れる力を太鼓腹で吸収してパイプかタンクの弱い方の損傷を未然に防ぐ、地震による液体漏れ予防装置。
(57)【要約】      （修正有）【課題】入院患者の私物洗濯をする洗濯リース業社が、入院患者が使用した洗濯ネットを再利用する際、洗濯ネット本体に縫付けている個人用名札の取り換え作業が容易となる業務用洗濯ネットを提供する。【解決手段】洗濯ネット本体１にホック、ボタン、面ファスナーを取り付ける事により個人用名札２の着脱が可能になり、さらに洗濯中に個人用名札の滑落を防ぐために個人用名札を外側から見えるようネット本体の内側から取り付けて業務用洗濯ネットを形成する。【選択図】図１
0003173435.tif 000002
【実用新案登録請求の範囲】
【請求項１】
洗濯ネット本体にホック（オス）を取り付ける事により  個人用名札の着脱が可能になり  さらに、洗濯中に個人用名札の滑落を防ぐ為  個人用名札を外側から見えるよう洗濯ネット本体の内側から取り付ける。
【考案の詳細な説明】
【技術分野】
【０００１】  業務用洗濯における洗濯ネットの改良
【背景技術】
【０００２】業務用洗濯に対応する特殊ホックの使用
【考案の概要】
【０００３】洗濯ネット本体にホック（オス）を取り付ける事により  個人用名札の着脱が可能になり  さらに、洗濯中に個人用名札の滑落を防ぐために  個人用名札を外側から見えるようネット本体の内側から取り付ける。
【考案が解決しようとする課題】
【０００４】入院患者の私物洗濯をする洗濯リース業社が  入院患者が使用した洗濯ネットを再利用する際  個人用名札が洗濯ネット本体に縫付けている為  取り換え作業が大変手間がかかる
【課題を解決するための手段】
【０００５】洗濯ネット本体にホック（オス）を取り付ける事により  個人用名札の着脱が可能になり  さらに、洗濯中に個人用名札の滑落を防ぐために  個人用名札を外側から見えるようネット本体の内側から取り付ける。
【図面の簡単な説明】
【０００６】
【図１】本考察の業務用ホック付洗濯ネットの実施例を示す正面図です。
【符号の説明】
【０００７】▲１▼洗濯ネット本体
▲２▼個人用名札（内側に取り付ける）
▲３▼特殊ホック（洗濯ネット本体にはオス）（特許取得済）
▲４▼ファスナー
▲５▼ファスナーカバー
▲６▼保護用バイヤス
【図１】
0003173435.tif 000003
【手続補正書】
【提出日】平成23年11月10日(2011.11.10)
【手続補正１】
【補正対象書類名】実用新案登録請求の範囲
【補正対象項目名】全文
【補正方法】変更
【補正の内容】
【実用新案登録請求の範囲】
【請求項１】
洗濯ネット本体にホック、ボタン、面ファスナーを取り付ける事により個人用名札の着脱が可能になり、さらに洗濯中に個人用名札の滑落を防ぐために個人用名札を外側から見えるようネット本体の内側から取り付けた業務用洗濯ネット。
【手続補正２】
【補正対象書類名】明細書
【補正対象項目名】全文
【補正方法】変更
【補正の内容】
【考案の詳細な説明】
【技術分野】
【０００１】業務用洗濯における洗濯ネットの改良
【背景技術】
【０００２】業務用洗濯に対応する特殊ホック、ボタン、面ファスナーの使用
【考案の概要】
【０００３】洗濯ネット本体にホック、ボタン、面ファスナーを取り付ける事により個人用名札の着脱が可能になり、さらに洗濯中に個人用名札の滑落を防ぐために個人用名札を外側から見えるようネット本体の内側から取り付けた業務用洗濯ネット。
【考案が解決しようとする課題】
【０００４】入院患者の私物洗濯をする洗濯リース業社が入院患者が使用した洗濯ネットを再利用する際、個人用名札が洗濯ネット本体に縫付けている為、取り換え作業が大変手間がかかる。
【課題を解決するための手段】
【０００５】洗濯ネット本体にホック、ボタン、面ファスナーを取り付ける事により個人用名札の着脱が可能になり、さらに洗濯中に個人用名札の滑落を防ぐために個人用名札を外側から見えるようネット本体の内側から取り付けた業務用洗濯ネット。
【図面の簡単な説明】
【０００６】
【図１】本考察の業務用洗濯ネットの実施例を示す正面図です。
【符号の説明】
【０００７】▲１▼洗濯ネット本体
▲２▼個人用名札（内側に取り付ける）
▲３▼特殊ホック、ボタン、面ファスナー
▲４▼ファスナー
▲５▼ファスナーカバー
▲６▼保護用バイヤス
(57)【要約】      （修正有）【課題】お風呂の大きな浴槽につからない季節でも臀部の冷えや圧迫感を解消し、痔疾患等患者、健常者も臀部を温めながら快適な入浴をすることを可とする風呂用座浴器を提供する。【解決手段】ドーナツ型のシリコン製座り部１が付いた台２を脚付き洗面器３の中央底部に置いた臀部がお湯に浸かる風呂用座浴器に高さ調節ができるバスチェアー４を組み合わせ安定した座り方で体洗いをする。ドーナツ型のシリコン製座り部１が付いた台２は単独で浴槽内座椅子として湯船の中で使用することができる。【選択図】図１
0003173438.tif 000002
【実用新案登録請求の範囲】
【請求項１】
ドーナツ型のシリコン製座り部（１）が付いた台（２）を脚付き洗面器（３）の中央底部に置いた臀部がお湯に浸かる風呂用座浴器
【請求項２】
ドーナツ型のシリコン製座り部（１）が付いた台（２）を脚付き洗面器（３）の中央底部に置いた臀部がお湯に浸かる風呂用座浴器と高さ調節ができるバスチェアー（４）の組み合わせ
【考案の詳細な説明】
【技術分野】
【０００１】  本考案は脚付き洗面器内に円形シリコン製座部を取り付けた風呂用座浴器に関するものである。
【背景技術】
【０００２】暑い季節は温浴に浸からずシャワーで済ますことが多く、従来の冷たい風呂用椅子に座り体を洗うことが一般的である。風呂用椅子は硬く痔疾患を持っている人、臀部に疾患のある人は悪化しやすいことになる。
この問題を解消しようとする実用新案登録がすでに散見できる。（公開番号  実開平６−４１５８５号）
【先行技術文献】
【０００３】
【特許文献】
【特許文献】  公開番号  実開平  ６−４１５８５号
【考案の概要】
【考案が解決しようとする課題】
【０００４】体を洗っている間、痔疾患の人は風呂の椅子が硬く冷たい為、臀部が冷えがちである。
前記の実用新案登録においては腰掛けたときの高さが低く安定した座りごこちがしないものである。温かい浴槽に浸かる場合も痔疾患の人は直接座ることに圧迫感を感じることがある。
【課題を解決するための手段】
【０００５】本案は上記のような欠点を除くために考案されたもので、ドーナツ型のシリコン製座り部（１）が付いた台（２）を脚付き洗面器（３）の中央底部に置き、脚付き洗面器（３）に臀部がお湯に浸かる高さにお湯を入れ、高さ調節ができるバスチェアー（４）と組み合わせ安定した座り方で体洗いをするものである。ドーナツ型のシリコン製座り部（１）が付いた台（２）は単独で浴槽内座椅子として湯船の中で使用することができる。
【考案の効果】
【０００６】風呂用座浴器にお湯を入れ、腰掛け、臀部を座浴器で温めながら体を洗えるので、体洗い中臀部が冷えることなく、お湯の入れ替えにより適温を保つことができ、バスチェアーの組み合わせにより身長の高低による不安定感を無くすことができる。
温かい浴槽に浸かる場合も痔疾患の人はドーナツ型のシリコン製座り部（１）が付いた台（２）に座わることにより肛門が温まり圧迫感無く入浴ができます。
【図面の簡単な説明】
【０００７】
【図１】本考案の斜視図
【図２】本考案の分解斜視図
【図３】本考案の一部側面図
【図４】本考案のドーナツ型部分斜視図
【図５】本考案のドーナツ型部分分解斜視図
【図６】本考案の利用法図１
【図７】本考案の利用法図２
【図８】本考案の真上から見た図
【考案を実施するための形態】
【０００６】ドーナツ型の上部にシリコン製（ゴム状）のマットをひき、弾力性を持たせ臀部の圧迫感を軽減させる。シリコン製（ゴム状）のマットの裏面（下向）は滑りにくい粘着性のあるゴムを使いプラスチックの台から滑らないようにする。上部洗面器と下部バスチェアーはずれ落ちないよう４）洗面器の脚で合体する。尚、清掃しやすくするため、１，２，３，５はそれぞれ分解できる形とする。
【実施例】
【０００７】図５のように体を洗う間、座浴器に座る。バスチェアーの高さは身長により調整する。
図６のように浴槽に浸かる間、ドーナツ型のシリコン製座り部（１）が付いた台（２）に座る。
【産業上の利用可能性】
【０００８】痔疾患の人は疾患を悪化させないように、健常者はこれから痔疾患等にならないように臀部を温め、血行を改善し、薬に頼らなくても良い体造りに貢献できるアイデアかと思う。
【符号の説明】
【０００９】１    ドーナツ型のシリコン製座り部
２    ドーナツ型のプラスチック台
３    洗面器
４    洗面器の脚
５    バスチェアー
６    浴槽
７    洗面器底部にドーナツ型のプラスチック台が収まるようつけた窪み
【図１】
0003173438.tif 000003
【図２】
0003173438.tif 000004
【図４】
0003173438.tif 000005
【図５】
0003173438.tif 000006
【図６】
0003173438.tif 000007
【図７】
0003173438.tif 000008
0003173438.tif 000009
【手続補正書】
【提出日】平成23年11月1日(2011.11.1)
【手続補正１】
【補正対象書類名】実用新案登録請求の範囲
【補正対象項目名】全文
【補正方法】変更
【補正の内容】
【実用新案登録請求の範囲】
【請求項１】
ドーナツ型のシリコン製座り部（１）が付いた台（２）を脚付き洗面器（３）の中央底部に置いた臀部がお湯に浸かる風呂用座浴器
【請求項２】
ドーナツ型のシリコン製座り部（１）が付いた台（２）を脚付き洗面器（３）の中央底部に置いた臀部がお湯に浸かる風呂用座浴器とバスチェアー（４）の組み合わせ
【手続補正２】
【補正対象書類名】図面
【補正対象項目名】図３
【補正方法】追加
【補正の内容】
【図３】
0003173438.tif 000010
【手続補正３】
【補正対象書類名】図面
【補正対象項目名】図８
【補正方法】追加
【補正の内容】
【図８】
0003173438.tif 000011
(57)【要約】      （修正有）【課題】横型ジャイロミル風車を発電機の中心軸の前後に二つ付けて９０度水平に回転させるだけで円球の全ての方角からの風を正面に受けられる横型風力発電機を提供する。【解決手段】発電機Ｇの振動を減らすために、発電機Ｇの中心軸の両端に風車を二つ付けることにより振動を減らし、四枚羽根を左右４５度ずらして取り付ける。四枚羽根をずらし取り付けることにより八枚羽根と同じ回転で、四枚羽根の空気抵抗に減らすことが出来る。また、プロペラＡを風向に向け９０度水平に回転できるようしたことにより円球のすべての方角からの風を正面から受けることができる。風うけ面を大きくすることもプロペラを両端に延ばすことで、鉄塔固定板Ｆに接触せずに風うけ面を広げ発電出力を上げることが出来る。【選択図】図１
0003173437.tif 000002
【実用新案登録請求の範囲】
【請求項１】
ａ．ジャイロミル型風車を横にして発電機の中心軸の両端に四枚羽根のプロペラを一本ずつ４５度ずらして取り付ける。  これにより四枚羽根で八枚羽根のプロペラの動きが出来る上、空気抵抗を減らせる。また、発電機を風向に向かって９０度水平に回転させられる。
ｂ．従来のジャイロミル型プロペラを利用した風力発電機は、縦型で風を正面から受ける形だが横にして風向に合わせ９０度回転できるため、縦横すべて３６０度の風を拾うことが出来る。  特に山や尾根の吹き下ろし、吹き上げの風も１００％受けることが出来る。
【考案の詳細な説明】
【技術分野】
【０００１】  本考案は自然エネルギーの風を全ての方角から１００％受けらる様にジャイロミル型のプロペラを横にして、発電機の前後に二つとりつけた。また、プロペラ及び発電機を風向に合わせ９０度水平回転させられる。
【背景技術】
【０００２】  従来のプロペラ型風車は、風を正面方向から直角に受ける形のため吹き上げ・吹き降ろし風に対する効率が悪かった。  また、従来のジャイロミル型風車も縦型のため水平３６０度の風に反応するだけだった。
これらの従来型では主に正面からの風に反応するだけで非効率である。これを解消するために横ジャイロミル型にすることにより、吹き降ろし・吹き上げ風に反応できる。【０００３】  従来プロペラ型風力発電機は水平３６０度の風を正面にうけるためにプロペラの向きを水平に３６０度回転させているが、本発明では横型ジャイロミル風車を発電機の中心軸の前後に二つ付けて９０度水平に回転させるだけで円球の全ての方角からの風を正面に受けられる。
【考案の概要】
【考案が解決しようとする課題】
【０００４】  ジャイロミル型風車を横にすると風をうける面が小さくなり出力が出ない、風うけ面を大きくすると鉄塔に接触してしまう。  また、風うけ面を大きくすると振動が大きくなり鉄塔に負担になるなどの欠点を解決するのが難かった。
【課題を解決するための手段】
【０００５】  本考案は発電機の振動を減らすために、発電機の中心軸の両端に風車を二つ付けることにより振動を減らし、四枚羽根を左右４５度ずらして取り付けた。  四枚羽根をずらし取り付けることにより八枚羽根と同じ回転で、四枚羽根の空気抵抗に減らすことが出来る。  また、プロペラを風向に向け９０度水平に回転できるようしたことにより円球のすべての方角からの風を正面から受けることができるようになった。【０００６】  風うけ面を大きくすることもプロペラを両端に延ばすことで鉄塔に接触せずに風うけ面を広げ発電出力を上げることが出来る。
【考案の効果】
【０００７】  本考案の風力発電機は全ての方角からの風を、正面からうけることで発電できる方式で吹き上げ・吹き降ろしの風に弱い従来型の弱点を克服することができる。  さらに、風車の回転面の直径も小いさくてよく最近の巨大風力発電機によるような鳥類への被害も大幅に減る。
【図面の簡単な説明】
【０００８】
【図１】本考案に係る風力発電機の形態を示す正面図・平面図・側面図である。
【考案を実施するための形態】
【０００９】  本考案の実施形態について図面を参照して説明する。  ▲１▼の正面図で（Ａ）が横ジャイロミル型風車のプロペラである。  左右４５度ずらして固定している。  羽根型は（Ｇ）の発電機及び（Ｆ）鉄塔固定板に接触しないような型にした。  大型化するには（Ｃ）の中心軸を延ばし風車の羽根もそれに合わせ長くすればよい。  ▲２▼の側面図で（Ａ）の二つの風車の羽根をずらすことで八枚羽根の回転が得られ、空気抵抗は四枚羽根と同じになる。  ▲１▼の正面図の状態を９０度水平回転させると▲２▼の側面図になる。  この水平４５度回転で全方位円球のどこからの風も正面受けることができる。
【図１】
0003173437.tif 000003
【手続補正書】
【提出日】平成23年11月12日(2011.11.12)
【手続補正１】
【補正対象書類名】実用新案登録請求の範囲
【補正対象項目名】全文
【補正方法】変更
【補正の内容】
【実用新案登録請求の範囲】
【請求項１】
風車の羽根を横長にし発電機の周囲部分は細くしたものを、発電機の左右両端に４枚発電機の中心軸に９０度間隔の十文字に、左右の羽根は４５度ずらして取り付け、さらに発電機本体を鉄塔の軸に風向にあわせ水平に９０度回転できるように取り付けた横型風力発電機。
(57)【要約】      （修正有）【課題】ゴルフグローブに硬質ゴム等を取りつけることで、ショット時の手首の曲がりを防止する様に構成したゴルフグローブを提供する。【解決手段】ゴルフグローブ１の手の甲に２の硬質ゴム等を取付、手首の曲がりを押えることで正確なショットが期待できる様にゴルフグローブを形成する。【選択図】図１
0003173092.tif 000002
【実用新案登録請求の範囲】
【請求項１】
ゴルフグローブ１の手の甲に硬質ゴム等２を取り付けたゴルフグローブ
【考案の詳細な説明】
【考案の詳細な説明】
【考案が解決しようとする課題】
【０００１】従来のゴルフグローブでは手首の曲がりを押える事が出来ない問題点を有していた
【課題を解決するための手段】
【０００２】上記手首の曲がり防止を達成するために手の甲に硬質ゴム等を取付手首の曲がりを押えるようにした
【考案の効果】
【０００３】硬質ゴム等を取付けた効果で手首の曲がりが無くなり正確なショットが出来る
【図面の簡単な説明】
【図１】ゴルフグローブの平面図である
【図２】ゴルフグローブの縦断面図である
【符号の説明】１      ゴルフグローブ本体
２      硬質ゴム等
【図１】
0003173092.tif 000003
【図２】
0003173092.tif 000004
(57)【要約】      （修正有）【課題】壁掛け保管具が使用できなくても、保護帽や高所転落防止安全帯を整理して保管できる重ね置き型保護帽保管具を提供する。【解決手段】床置き型とし、底板に数本の支柱が固定され、支柱には保護帽を出し入れできる間隔にホールド棒が底板重心の垂直線上に向けて下向きに１点に接するように固定され、その点から外側に向けて補助ホールド棒が数本上向きに取り付けられている。支柱上部はお互い連絡棒で固定され数辺の内２辺の連絡棒には数個のフックが外向きに取り付けられている。【選択図】図１
0003173096.tif 000002
【実用新案登録請求の範囲】
【請求項１】
底板に支柱が固定され数本の支柱からホールド棒が下向きに伸び、底板中央部で全ての先端が接し固定され、その点から外側に数本補助ホールド棒が取り付けられている、保護帽の顎紐側が下向きに出し入れできる最適高さ間隔に固定され、支柱上部は互い連結棒で固定され、２辺の連結棒には数個のフックが取り付けられている重ね置き型保護帽保管具。
【請求項２】
前記連結棒に外向きにフックを設けた請求項１に記載の重ね置き型保管具。
【請求項３】
前記補助ホールド棒の代わりにホールド棒を一体加工したことを特徴とする請求項１又は２に記載の重ね置き型保護帽保管具。
【考案の詳細な説明】
【技術分野】
【０００１】  本実用新案は保護帽や高所転落防止安全帯の保管に関するものである。
【背景技術】
【０００２】  従来建設現場等で使用する保護帽や高所転落防止安全帯の保管方法は部屋の壁面に取り付けた、壁掛け保管具に収納していた。
【先行技術文献】
【特許文献】
【０００３】
【特許文献１】実全昭５８−１９１８９０
【非特許文献】
【０００４】
【考案の概要】
【考案が解決しようとする課題】
【０００５】  最近の建設現場事務所は賃貸のアパートやマンションを利用するケースが多くなり壁面がコンクリート製の為、ヘルメットボードを取り付けるビスや釘がつかえないので困っていました。
【課題を解決するための手段】
【０００６】  床置き型とし、多角形の底板に数本の支柱が固定され、支柱には縦方向等間隔に数段同角度で下向きに伸びている。数本のホールド棒は底板中央部で格段ごと、一点に集中し、固定されている。その交点から数本Ｌ字型の補助ホールド棒が外側に向かって伸びている。
支柱の上部を連結棒で固定されて、連結棒にはフックが取り付けられている。
以上の構造よりなる重ね置き型保護帽保管具
【考案の効果】
【０００７】  今までは事務所内の壁がコンクリートや壁紙クロスの場合、壁掛け保管具が使用できずあちこちに置かれていたが、この商品があれば保護帽や高所転落防止安全帯が一カ所に整然と整理され、出入り口付近の空きスペースが有効利用され、快適に保管できる。
【図面の簡単な説明】
【０００８】
【図１】正面図
【図２】平面図
【図３】側面図
【考案を実施するための形態】
【０００９】  （イ）底板（１）は多角形を成し、その周囲に支柱（２）が通る穴が数個あり、穴に支柱を立てて固定する。
（ロ）支柱に保護帽（３）出し入れ最適間隔にホールド棒（４）が数段設置、支柱に対し下向きで同勾配に取り付けられ底板の重心を通る垂直線上の一ヶ所に全ての先端が接した交点（５）で固定する。
保護帽は顎紐側を下向きに直線の数本のホールド棒で支えられている。
（ハ）交点から上向きに固定された数本のＬ型をした補助ホールド棒（６）が外側に向かって伸びていて、保護帽落下を防いでいる。
（ニ）支柱上部はお互い連結棒（７）で固定され、数辺の内２辺の連結棒に数個のフック（８）が取り付けられ、高所転落防止帯（９）等を引っかけ、垂れ下げて保管する。
（ホ）底板には高さ調整出来るアジャスタのナット（１０）が４ヶ所固定され、転倒防止釘穴（１１）も２ヶ所設けている。
【符号の説明】
【００１０】（１）底板
（２）支柱
（３）保護帽
（４）ホールド棒
（５）交点
（６）補助ホールド棒
（７）連結棒
（８）フック
（９）高所転落防止帯
（１０）アジャストのナット
（１１）転倒防止釘穴
【図１】
0003173096.tif 000003
【図２】
0003173096.tif 000004
【図３】
0003173096.tif 000005